(57)【特許請求の範囲】
【請求項１】
環状ランプが装着され、ＬＥＤを常夜灯として用いるとともに、器具を遠隔操作するリモコン装置を具備した照明器具であって、
前記常夜灯は、器具本体に装着したリモコン電子回路ユニットに結線された受信部ユニットに一体的に設けられ、該受信部ユニットに設けられた受光センサと該受信部ユニット内部にて同一の基板に実装されるとともに、照明器具の平面視における略中央部で、かつ照明器具の側面視における環状ランプの下端よりも下方で、環状ランプよりもセードに近い位置に配置し、
前記受信部ユニットのカバー部材の外側面に、前記常夜灯の配置部分の周縁部を常夜灯側へ近づくに従って上方へ傾斜させた反射面を形成し、該反射面を常夜灯から照射される光の反射板として用いたことを特徴とする照明器具。
【請求項２】
前記照明器具の器具本体には、平面視における略中央部に、照明器具の取付装置が設けられており、前記受信部ユニットは、該取付装置の下方に配置されるブラケットを介して、照明器具に取り付けられることを特徴とする請求項１に記載の照明器具。
【請求項３】
前記常夜灯は、光が拡散して照射される指向性が低いＬＥＤ、又は光拡散手段を具備するＬＥＤであることを特徴とする請求項１又は請求項２に記載の照明器具。
【請求項４】
前記常夜灯の先端部が、受信部ユニットのカバー部材から外側へ突出することを特徴とする請求項１乃至請求項３のいずれか一項に記載の照明器具。
【発明の詳細な説明】
【０００１】
【発明の属する技術分野】
本発明は、常夜灯にＬＥＤを用いた、天井直付用等の照明器具の構成に関する。
【０００２】
【従来の技術】
従来、蛍光灯を用いた天井直付用等の照明器具に設けられている常夜灯の多くは、ナツメ球等の低ワットの小型白熱球が用いられている。その理由は、夜間睡眠を邪魔せず、またトイレ等で起きたとき、眩しくない範囲で周囲の物が識別できる、ほのかな明かりを得るためには、最も簡易な方法であったためである。小型白熱球を常夜灯として用いた照明器具としては、例えば、実用新案登録第２５５５２５０号公報や、特開２００１−２９７６２１号公報に記載されたものがある。
【０００３】
【発明が解決しようとする課題】
しかし、前述のナツメ球を用いた常夜灯は、単に明かりを得ることだけしか考慮されておらず、照明器具の器具設計においては、主灯である蛍光灯や、その点灯回路や、器具取付装置等が優先的に配置設計されるため、常夜灯はそれらの空いたスペースに設置せざるを得なく、その光の質や美観については考慮されていなかった。前述の公報に記載された照明器具においても、常夜灯は、照明器具の中心部からずれた周辺部の空いたスペースに配置されている。
【０００４】
特に、常夜灯の光は眩しさの低い光なので、照明器具を直視できやすく、また常夜灯を点灯している時間は、照明が使用される時間の中で最も長い。そして、天井直付照明器具は、生活行為の中で、就寝時に最もその姿が目に入りやすい。このような状況でありながら、常夜灯は、光の美しさを考慮しない配置であったため、常夜灯の点灯時には、環状ランプやセードの固定具や照明器具を制御するリモコンの受信部等が障害物となって、セードに映る常夜灯の照射光のフォルムがいびつになる場合が多く、光の美しさについての問題が大きかった。
【０００５】
このように、セードに映る常夜灯の照射光のフォルムがいびつになるのは、常夜灯が周辺部に配置された場合に特に多く見られるため、特開平１１−３５３９３０号公報に記載の照明器具のように、常夜灯を器具の中央部に配置したものがある。しかし、この照明器具においては、器具の中央部に配置される締上げリング等の照明器具の取付具などが影になることを避けることはできるが、その他の部材、例えば、常夜灯と略同じ高さに配置される環状蛍光ランプ等の影をセードに映し出さないといったようなことは全く考慮されておらず、光の美しさが充分とは言えなかった。
【０００６】
また、ナツメ球等の白熱灯における、その他の問題点としては、長時間使用するためにランプが切れやすく、さらに、低ワットであっても長時間使用するので、省電力と言う点では十分とは言えない、という問題があった。
【０００７】
近年、これらの、ランプ寿命が短く省電力化が十分でないという問題を解決する方法として、長寿命で消費電力が少ないＬＥＤを常夜灯光源に使用することが考案されている。
常夜灯として用いられるＬＥＤとしては、例えば、特開平１１−１７７１４９号公報に記載される、なつめ型の中空球体の中にＬＥＤ発光体を封入して構成したランプがある。
しかし、ＬＥＤを常夜灯として用いることで、ランプ寿命及び省電力化の問題は解決されるが、光の美観については考慮されたものがない。また、ＬＥＤは、一般的にその光の強度を高めるため、光が前方に集中して照射されるような形状にした、光の指向性の強いタイプのものが多い。
これを、従来の常夜灯の位置に用いれば、条件によっては、障害物によるセードへの影を生じない光を得ることは可能である。しかし、その光は指向性が高いため、セードのある一部分のみが明るくなり、他の暗い部分とのコントラストが強くなって、美しいとはいえないものとなってしまう。また、部分的に強い光が照射されるため、就寝者に眩しさの不快感を生じさせることにもなってしまう。
【０００８】
【課題を解決するための手段】
本発明は、以上のような課題を解決すべく、次のような手段を用いるものである。即ち、請求項１記載の発明においては、環状ランプが装着され、ＬＥＤを常夜灯として用いるとともに、器具を遠隔操作するリモコン装置を具備した照明器具であって、前記常夜灯は、器具本体に装着したリモコン電子回路ユニットに結線された受信部ユニットに一体的に設けられ、該受信部ユニットに設けられた受光センサと該受信部ユニット内部にて同一の基板に実装されるとともに、照明器具の平面視における略中央部で、かつ照明器具の側面視における環状ランプの下端よりも下方で、環状ランプよりもセードに近い位置に配置し、前記受信部ユニットのカバー部材の外側面に、前記常夜灯の配置部分の周縁部を常夜灯側へ近づくに従って上方へ傾斜させた反射面を形成し、該反射面を常夜灯から照射される光の反射板として用いたものである。
【０００９】
また、請求項２記載の発明においては、前記照明器具の器具本体には、平面視における略中央部に、照明器具の取付装置が設けられており、前記受信部ユニットは、該取付装置の下方に配置されるブラケットを介して、照明器具に取り付けられるものである。
【００１０】
また、請求項３記載の発明においては、前記常夜灯は、光が拡散して照射される指向性が低いＬＥＤ、又は光拡散手段を具備するＬＥＤであるものである。
【００１１】
また、請求項４記載の発明においては、前記常夜灯の先端部が、受信部ユニットのカバー部材から外側へ突出するものである。
【００１７】
【発明の実施の形態】
本発明の実施の形態を、添付の図面より説明する。図１は本発明の照明器具を示す斜視図、図２は同じくセードを取り外した状態の照明器具を示す底面図、図３は同じく照明器具を示す側面断面図、図４は照明器具を示す組立図、図５はリモコン受信部ユニットを示す斜視図、図６は常夜灯の取付状態を示す側面断面図、図７はリモコン電子回路ユニットを示す回路図、図８は従来のリモコン電子回路ユニットを示す回路図、図９は常夜灯を器具本体の周縁部に配置した照明器具を示す側面断面図である。
【００１８】
まず、照明器具の概略構成について説明する。図１乃至図４に示すように、本照明器具１は、例えば、器具本体１０と、該器具本体１０に装着される環状蛍光ランプ３０・３０と、器具本体１０に装着され環状蛍光ランプ３０・３０を覆うセード２０と、照明器具１を遠隔制御するリモコン受信部ユニット５０等とで構成されており、器具本体１０を天井面に直接当接することで取り付けられる天井直付用の照明器具に構成されている。
【００１９】
器具本体１０の平面視における中央部には、取付用孔１１が形成されている。そして、天井面に固設されるローゼットやシーリング等の配線器具６１に装着された取り付けアダプタ６２に、この取付用孔１１を嵌装することで、器具本体１０が天井面に取り付けられるように構成している。
【００２０】
器具本体１０の下面部には、複数の環状蛍光ランプ３０・３０が取り付けられ、該環状蛍光ランプ３０・３０は、セード２０により下方から覆われている。セード２０は下に凸の略球面形状に形成されており、器具本体１０側に固設されるセード固定具１２・１２・・・により器具本体１０に取り付けられている。
【００２１】
また、器具本体１０には、取り付けアダプタ６２が嵌装される取付用孔１１を跨いでリモコン用ブラケット５１が取り付けられており、該リモコン用ブラケット５１の下面に、前記リモコン受信部ユニット５０が装着されている。
リモコン受信部ユニット５０には受光センサ５２が設けられ、別体のリモコン送信器からの光を、該受光センサ５２が受光することで、照明器具１が遠隔制御される。
【００２２】
このように、器具本体１０の平面視における略中央部に、照明器具１の取付装置である取り付けアダプタ６２が配置され、該取り付けアダプタ６２の下方に位置するリモコン用ブラケット５１にリモコン受信部ユニット５０が装着されており、該リモコン受信部ユニット５０の下部は、環状蛍光ランプ３０・３０の最下端部よりも下方に位置している。
従って、照明器具１側とは別体に設けられるリモコン送信器がどの位置にあるかに関係なく、リモコン送信器と受光センサ５２との間に、環状蛍光ランプ３０やセード固定具１２等の光を遮るような照明器具１の構造物が存在することがない。
これにより、リモコン送信器からの送信を、リモコン受信部ユニット５０の受光センサ５２にて受光することができ、リモコン送信機からの光の受信性能が向上している。
また、リモコン受信部ユニット５０には、常夜灯５３が設けられている。
【００２３】
次に、常夜灯５３について説明する。常夜灯５３はＬＥＤにより構成され、リモコン受信部ユニット５０に一体的に設けられて、該リモコン受信部ユニット５０の下面部に配置されている。
【００２４】
図５乃至図７に示すように、常夜灯５３は受光センサ５２の近傍に配置されており、リモコン受信部ユニット５０内部において、常夜灯５３と受光センサ５２とは、同じ基板５５に実装されている。
また、常夜灯５３の先端部は、リモコン受信部ユニット５０のカバー部材５０ａの下面から寸法ｈだけ下方へ突出している。
【００２５】
カバー部材５０ａの下面における、常夜灯５３配置部分の周縁部は、常夜灯５３側へ近づくに従って上方へ傾斜する傾斜面５０ｂに形成されている。傾斜面５０ｂは、例えば、白色、又はクリーム色やアイボリー等の白色に近い色の光沢面、といったように光を反射しやすい面状態に構成されており、常夜灯５３から照射された光を反射するようにしている。これにより、常夜灯５３から下方向へ照射される光を増強することが可能となっている。
また、カバー部材５０ａの側面には、リモコン受信部ユニット５０の受信周波数を切り換えるチャンネル切換スイッチ５９ａ、及びリモコン送信機により照明器具１を操作した際の確認音を発するか否かの切り換えを行う操作音切換スイッチ５９ａにより構成される操作部５９が一体的に設けられている。
【００２６】
器具本体１０には、図７に示すようなリモコン電子回路ユニット５が設けられており、該リモコン電子回路ユニット５には、電源、環状蛍光ランプ３０、及びリモコン受信部ユニット５０が結線されている。
そして、環状蛍光ランプ３０への電源供給はリモコン電子回路ユニット５を介して行われ、リモコン受信部ユニット５０の受光センサ５２の受信状態に応じて制御される。
【００２７】
ここで、ナツメ球を常夜灯として用いた従来の照明器具の場合、図８に示すように、リモコン電子回路ユニット５’には、電源、環状蛍光ランプ３０、及び受光センサ５２’が設けられるリモコン受信部ユニット５０’に加えて、常夜灯５３’を結線していたため、そのための配線や常夜灯を固定するための部品等を別個に設ける必要があり、器具の組み立て作業の容易性やコストの点において問題があった。
【００２８】
しかし、本案の照明器具１の場合は、常夜灯５３を、受光センサ５２が装着される基板５５に装着して、リモコン受信部ユニット５０に一体的に設けているため、常夜灯５３専用の支持体や反射板等が必要なく、部品点数を減少して、器具の組み立て作業も容易化することができる。
【００２９】
さらに、リモコン受信部ユニット５０等の信号系は５Ｖ電圧で動作しており、ナツメ球等の電球は通常１００Ｖ電圧で作動しているため、従来の照明器具では常夜灯専用の電源回路をリモコン電子回路ユニット５に設ける必要があったが、このＬＥＤは５Ｖ以下で作動するため、常夜灯５３の場合は、改めて電源回路を設ける必要がない。即ち、受光センサ５２が設けられる基板５５の配線パターン等を若干変更するだけで、常夜灯５３を取り付けることが可能となる。
【００３０】
また、常夜灯５３を構成するＬＥＤには、広範囲な照射範囲を有するＬＥＤ、または、ＬＥＤから照射される光を広範囲に拡散するカバーを取り付けたＬＥＤが用いられている。
ここで、このような広範囲な照射範囲を有するＬＥＤは、ランプ周囲の略全範囲を照射範囲とするものもあるが、ＬＥＤを常夜灯５３として用いた場合、実際上は、その全ての照射範囲を常夜灯５３からの照射光として用いているものではない。例えば、ＬＥＤのカバー部材５０ａ内に埋没している部分からの光は外部に照射されることがなく、常夜灯５３としての照射光としては利用されていない。
従って、常夜灯５３として有効に利用されている光の範囲は、該カバー部材５０ａから突出している部分から照射され、セード２０に映り込んだ光の範囲である。即ち、常夜灯５３がセード２０面を照らしている面積の範囲が、有効に利用されている照射範囲である。
今後、このセード面２０上の照射範囲を、常夜灯５３の「有効照射範囲」と呼ぶ。
例えば、図１、図３に示すように、本例の常夜灯５３の有効照射範囲は、１８０°以上の照射範囲となっており、該常夜灯５３からの光がセード２０の略全面に照射されるようになっている。尚、ＬＥＤに装着する、光を広範囲に拡散するものはカバーに限るものではなく、ＬＥＤからの照射光を拡散できるものであればよい。
【００３１】
この場合、常夜灯５３は、器具本体１０とセード２０とに囲まれた空間内において最下方位置にあるため、常夜灯５３の有効照射範囲内に、該常夜灯５３から照射される光を遮るものがなく、照明器具１の環状蛍光ランプ３０やセード固定具１２等といった構造物が映り込むことがない。これにより、常夜灯５３からの照射光が、セードに映る光のフォルムが美しく、美観に優れた見栄えのする雰囲気の良い光となって、照明器具が設けられる空間が和やかになり、くつろぎ易くなる。
また、常夜灯５３は受光センサ５２の近傍に配置されており、平面視において照明器具１の略中央に位置することとなり、セード２０に映る常夜灯５３からの光は、略円形であり見栄えがよい。
【００３２】
そして、平面視における照明器具１の略中央部に位置する常夜灯５３からの光がセード２０に映る範囲は、本例では、前述の図１、図３で示した如くセード２０の略全面としているが、図３に２点鎖線で示すように、常夜灯５３の有効照射範囲は、少なくとも、最も小径の環状蛍光ランプ３０の内周径Ｒよりも内側の部分をカバーする範囲であればよい。（尚、図３の２点鎖線で示す有効照射範囲を有する常夜灯５３は、器具本体１０に取り付けた場合を示している。）
即ち、本照明器具１においては、常夜灯５３は、少なくとも、平面視におけるセード２０面の中心位置から環状蛍光ランプ３０の最小内周径Ｒまでの部分の広範囲を有効照射範囲とし、常夜灯５３の有効照射範囲までの間には光を遮る障害物が存在しない。
【００３３】
但し、常夜灯５３の有効照射範囲内に光を遮る障害物が存在していて、セード２０面上に影が生じたとしても、その生じた影が薄い場合には、さほど気になることはなく、セード２０に映る常夜灯５３からの照射光のフォルムの美しさを損なうことはなく、美観に優れた見栄えのする雰囲気の良い光を保つことができる。
例えば、常夜灯５３の有効照射範囲内に生じた影の全範囲で、セード２０面における照度が、影がなかったとした場合のその部分における照度の３０％より高い場合（即ち、常夜灯５３の有効照射範囲内に生じた影に、該影のセード２０面における照度が、影がなかったとした場合のセード２０面における照度の３０％以下である部分がない場合）には、生じた影は薄いものであり、影の部分と影でない部分とのコントラスト差が比較的小さいため、影が気になることはなく、照射光のフォルムの美しさが損なわれることがないのである。
【００３４】
また、有効照射範囲内に生じた影の大きさが、有効照射範囲面積の５％以下の面積を占めるにすぎないときは、その影はかなり小さな影であるため、前述の如くの薄い影である場合はもちろんのこと、濃い影であっても（即ち、影の部分の照度が、影がなかったとした場合の照度の３０％より低い場合であっても）、見る者の気になることはなく、照射光の美しさが損なわれることはない。
逆に、有効照射範囲内に生じた影の大きさが、有効照射範囲面積の９０％以上の面積を占めるときには、有効照射範囲の殆ど全体が影で覆われることとなって全体的に暗くなるため、前述の如くの薄い影である場合はもちろんのこと、濃い影であっても（即ち、影の部分の照度が、影がなかったとした場合の照度の３０％より低い場合であっても）、見る者の気になることはなく、照射光の美しさが損なわれることはない。例えば、常夜灯５３からの照射光を拡散させるために、常夜灯５３の周囲をカバー部材で覆うことがあるが、この場合は、略全体的に照度が低下して、局部的に暗くなることがないので、照射光の美観を損ねることがない。
【００３５】
さらに、常夜灯の有効照射範囲内に生じた影の面積が、有効照射範囲面積の５％以上かつ９０％以下といったように、有効照射範囲の一部に影が生じたときであっても、該影のセード面における照度が、影がなかったとした場合の照度の３０％以上の照度を有していれば、見るものにとって影が気になることはなく、照射光のフォルムの美しさが損なわれることがない。
一方、影が生じた部分と影が生じていない部分との両方を認識できる程度の大きさである、有効照射範囲面積の５％以上かつ９０％以下の範囲に影が生じた場合に、その影が暗い影であれば（その影のセード面における照度が、影がなかったとした場合の照度の３０％より小さければ）、見るものにとって生じた影は気になるものとなり、照射光のフォルムの美しさが損なわれることとなる。
【００３６】
また、通常、セード上の互いに近接する２点に照度差があった場合、例えば一方の照度が他方の照度の５０％程度であった場合、照明器具１の環状蛍光ランプ３０のような明るい光源であれば、両者の明るさの違いをはっきりと感じ取ることができるが、常夜灯５３のような暗い光源であれば、両者の明るさの違いはほとんど感じられず、一方の照度が他方の照度の３０％程度以下になって、はじめて両者の違いを強く感じることができる。
従って、常夜灯５３の有効照射範囲内に影が生じたとしても、生じた影の照度が、その部分に影がなかったとした場合の照度の３０％よりも高い場合には、両者の明るさの違いが気になることはなく、フォルムが美しい見栄えのする雰囲気の良い光に保たれる。
【００３７】
また、本例の常夜灯５３は、前述の如く、光が拡散して照射される指向性が低いＬＥＤ、又は光を拡散するカバーが装着されたＬＥＤを用いて構成されているため、一般に多く使われている指向性の高いＬＥＤを用いた場合のように、照射光の指向性が高くなく、有効照射範囲を広くすることができる。さらに、照射される光は拡散光となるため、指向性の高いＬＥＤに比べて眩しさがない、ぼんやりとした柔らかい光となり、雰囲気の良い光となって、くつろぎ易く就寝の妨げになることもない。
【００３８】
尚、下方へ突出する常夜灯５３からカバー部材５０ａの下面側へ向けて照射される光は、反射板として用いられる傾斜面５０ｂを形成した場合、下方へ反射され、下方側へ照射される常夜灯５３の光が増強されるので、常夜灯５３から照射される光を効率的に活用することができる。
また、常夜灯５３の光量は、器具本体１０やリモコン等にボリュームを設けて、調節可能に構成することもできる。
【００３９】
また、常夜灯５３が設けられるリモコン受信部ユニット５０は、リモコン用ブラケット５１を介して器具本体１０に取り付けられているため、該器具本体１０の中央部に取付用孔１１が形成されるとともに、該取付用孔１１に取り付けアダプタ６２といった取付装置が嵌装されているにもかかわらず、常夜灯５３を容易に器具本体１０の平面視における中央部に配置することが可能となっている。
これにより、常夜灯５３からのセードへの照射光が、円形として見栄えや雰囲気の良い光となることを、容易に実現することができる。
また、該器具本体の中央部に設けられる取付装置の形状や大きさにかかわらず、常夜灯を器具本体の中央部の一定個所に配置することが容易となる。
これにより、取付装置の形状や大きさが異なったとしても、セードに映る常夜灯からの照射光を、一定の大きさ・形状とすることができ、複数の照明器具を設置した場合に統一感が生じ、空間の雰囲気を高めることができる。
【００４０】
また、常夜灯５３のカバー部材５０ａからの突出寸法ｈは、基板５５のカバー部材５０ａへの取付位置や、常夜灯５３に用いられているＬＥＤの基板５５への実装高さ等を変えることで、調整することが可能となっている。
このように構成することで、ＬＥＤの発光面やカバーと、カバー部材５０ａの下面や傾斜面５０ｂとの位置関係を変化させることができ、常夜灯５３の有効照射範囲や照射光の光量を調節することが可能である。
【００４１】
本例では、常夜灯５３を平面視における器具本体１０の中央部に配置しているが、図９に示すように、最も大径の環状蛍光ランプ３０の外周側に常夜灯５３を配置することもできる。
このように、常夜灯５３を器具本体１０の周縁部に配置した場合でも、常夜灯５３の有効照射範囲までの間に環状蛍光ランプ３０やセード固定具１２等の光を遮るような障害物が存在しないように構成することができる。また、常夜灯５３を環状蛍光ランプ３０よりもセード２に近づけて配置することで、その有効照射範囲径を広くすることができ、見栄えのする雰囲気が良い光を構成することが可能となる。
【００４２】
【発明の効果】
本発明は、以上のような構成とすることで、次のような効果を奏する。まず、請求項１の如く、環状ランプが装着され、ＬＥＤを常夜灯として用いるとともに、器具を遠隔操作するリモコン装置を具備した照明器具であって、前記常夜灯は、器具本体に装着したリモコン電子回路ユニットに結線された受信部ユニットに一体的に設けられ、該受信部ユニットに設けられた受光センサと該受信部ユニット内部にて同一の基板に実装されるとともに、照明器具の平面視における略中央部で、かつ照明器具の側面視における環状ランプの下端よりも下方で、環状ランプよりもセードに近い位置に配置し、前記受信部ユニットのカバー部材の外側面に、前記常夜灯の配置部分の周縁部を常夜灯側へ近づくに従って上方へ傾斜させた反射面を形成し、該反射面を常夜灯から照射される光の反射板として用いられる。
通常、受信部ユニットは、照明器具側とは別体に設けられるリモコン送信器がどの位置にあるかに関係なく、リモコン送信器と受信部ユニットとの間に、環状蛍光ランプやセード固定具等の光を遮るような照明器具の構造物が存在することがない位置に配置されている。従って、常夜灯を受信部ユニットに一体的に設けることで、該常夜灯からの照射光がセードへ達するまでに、照明器具の構造物に遮られることがなく、セードに映る光のフォルムを美しく保つことができる。また、常夜灯を受信部ユニットに一体的に設けることで、常夜灯専用の支持体や反射板等が必要なくなり、部品点数を減少して、器具の組み立て作業も容易化することができる。さらに、常夜灯用に器具内配線を別途設ける必要がなく、受光センサが設けられる基板の配線パターンを若干変更するだけで、常夜灯を取り付けることが可能となる。
また、有効照射範囲径を広くすることができ、セードに映る常夜灯からの光の面積を大きくして、暗い部分を小さくすることができる。これにより、美観に優れた見栄のする照明器具となるとともに、眩しさのない柔らかな光で、照明器具が設けられる空間が和やかになり、くつろぎ易くなる。
さらに、照射される常夜灯の光を反射板により増強することができるので、常夜灯から照射される光が拡散光であったとしても、光量が不足することがなく、常夜灯としての機能を十分に発揮することができる。
【００４３】
更に、請求項２の如く、前記照明器具の器具本体には、平面視における略中央部に、照明器具の取付装置が設けられており、前記受信部ユニットは、該取付装置の下方に配置されるブラケットを介して、照明器具に取り付けられるので、常夜灯を器具本体の平面視における中央部に容易に配置することができ、セードに映る常夜灯からの照射光を円形として、見栄えや雰囲気の良い光とすることを、容易に実現することができる。また、該器具本体の中央部に設けられる取付装置の形状や大きさにかかわらず、常夜灯を器具本体の中央部の一定個所に配置することが容易となる。これにより、取付装置の形状や大きさが異なったとしても、セードに映る常夜灯からの照射光を、一定の大きさ・形状とすることができ、複数の照明器具を設置した場合に統一感が生じ、空間の雰囲気を高めることができる。
【００４４】
更に、請求項３の如く、前記常夜灯は、光が拡散して照射される指向性が低いＬＥＤ、又は光拡散手段を具備するＬＥＤであるので、通常のＬＥＤを用いた場合のように、照射光の指向性が高くなく、照射範囲を広くすることができる。さらに、照射される光は拡散光となるため、ぼんやりとした柔らかい光となり、雰囲気の良い光となって、くつろぎ易く就寝の妨げになることもない。
【００４５】
更に、請求項４の如く、前記常夜灯の先端部が、受信部ユニットのカバー部材から外側へ突出するので、ＬＥＤの発光面やレンズと、リモコン受信部ユニットの下面や傾斜面ｂとの位置関係を変化させることができ、常夜灯の照射範囲や照射光の光量を調節することが可能である。
【図面の簡単な説明】
【図１】本発明の照明器具を示す斜視図である。
【図２】同じくセードを取り外した状態の照明器具を示す底面図である。
【図３】同じく照明器具を示す側面断面図である。
【図４】照明器具を示す組立図である。
【図５】リモコン受信部ユニットを示す斜視図である。
【図６】常夜灯の取付状態を示す側面断面図である。
【図７】リモコン電子回路ユニットを示す回路図である。
【図８】従来のリモコン電子回路ユニットを示す回路図である。
【図９】常夜灯を器具本体の周縁部に配置した照明器具を示す側面断面図である。
【符号の説明】
１  照明器具
１０  器具本体
１１  取付用孔
２０  セード
３０  環状蛍光ランプ
５０  リモコン受信部ユニット
５０ａ  カバー部材
５０ｂ  傾斜面
５１  ブラケット
５２  受光センサ
５３  常夜灯
【図１】
0004092109.tif 000002
【図２】
0004092109.tif 000003
【図３】
0004092109.tif 000004
【図４】
0004092109.tif 000005
【図５】
0004092109.tif 000006
【図６】
0004092109.tif 000007
【図７】
0004092109.tif 000008
【図８】
0004092109.tif 000009
【図９】
0004092109.tif 000010